【手続補正書】
【提出日】平成15年11月27日(2003.11.27)
【手続補正１】
【補正対象書類名】明細書
【補正対象項目名】請求項１
【補正方法】変更
【補正の内容】
【請求項１】
少くとも１層の感光層を担持する支持体を含んでなる写真要素であり、前記要素が式（Ｉ），（II）または（III ）：
【化１】
1997179246.tif 000001
（前記式中、Ｘは酸素またはイオウであり；Ｒ1 およびＲ2 は各々独立して非置換もしくは置換のアルキル基、非置換もしくは置換のアリール基または非置換もしくは置換のヘテロアリール基を表し；Ｒ3 およびＲ4 は各々独立して水素原子、非置換もしくは置換のアルキル基、非置換もしくは置換のアリール基、または非置換もしくは置換のヘテロアリール基を表し；Ｌ1 ，Ｌ2 およびＬ3 は各々独立して置換もしくは非置換のメチン基を表し；Ｒ5 は水素原子または置換もしくは非置換のアルキル基、アリール基もしくはアシル基を表し；Ｍ+ はプロトンまたは無機もしくは有機のカチオンを表し；そしてｎは０，１，２または３である）
の凝集色素をその中に分散せしめた水性媒体を含む水性分散体を含有し、そして前記分散体中の前記凝集色素が５５nm未満の吸収半帯域幅を有する写真要素。
【手続補正２】
【補正対象書類名】明細書
【補正対象項目名】００１７
【補正方法】変更
【補正の内容】
【００１７】
本発明のさらに別の目的は、親水性コロイド層に色素が添加されており、かつその吸収極大のスペクトル領域の一部で高い吸収を示すが、その吸収極大の約２０nm下では比較的低い吸収を有するハロゲン化銀感放射線材料を提供することである。
以下に示す式Ｉ，IIおよび IIIの色素を水性媒体（好ましくは親水性コロイドを含有する）に分散した際、凝集し、本発明の前記目的において述べた利点が得られるとの知見をわれわれは得た。前記の色素分散体は、粉末色素もしくは微結晶固体色素粒子を水性媒体、好ましくはゼラチンもしくは他の親水性コロイドを含有するものに、前記方法を用いて分散させることにより調製できる。


【手続補正３】
【補正対象書類名】明細書
【補正対象項目名】００２０
【補正方法】変更
【補正の内容】
【００２０】
（前記式中、Ｘは酸素またはイオウであり；Ｒ1 およびＲ2 は各々独立して非置換もしくは置換のアルキル基、非置換もしくは置換のアリール基、または非置換もしくは置換のヘテロアリール基を表し；Ｒ3 およびＲ4 は各々独立して水素原子、非置換もしくは置換のアルキル基、非置換もしくは置換のアリール基、または非置換もしくは置換のヘテロアリール基を表し；Ｌ1 ，Ｌ2 およびＬ3 は各々独立して置換もしくは非置換のメチン基を表し；Ｍ+ はプロトンまたは無機もしくは有機のカチオンを表し；ｎは０，１，２または３を表す）
の凝集色素をその中に分散せしめた水性媒体を含んでなる水性分散体であって、前記分散体中の前記凝集色素が５５nm未満の吸収半帯域幅を有する水性分散体に関する。


【手続補正４】
【補正対象書類名】明細書
【補正対象項目名】００２８
【補正方法】変更
【補正の内容】
【００２８】
（前記式中、Ｘは酸素またはイオウであり；Ｒ1 およびＲ2 は各々独立して非置換もしくは置換のアルキル基、非置換もしくは置換のアリール基、または非置換もしくは置換のヘテロアリール基を表し；Ｒ3 およびＲ4 は各々独立して水素原子、非置換もしくは置換のアルキル基、非置換もしくは置換のアリール基、または非置換もしくは置換のヘテロアリール基を表し；Ｌ1 ，Ｌ2 およびＬ3 は各々独立して置換もしくは非置換のメチン基を表し；Ｍ+ はプロトンまたは無機もしくは有機のカチオンを表し；ｎは０，１，２または３を表す）
の凝集色素であって、前記分散体中の前記凝集色素が５５nm未満の吸収半帯域幅を有するものを含む。


【手続補正５】
【補正対象書類名】明細書
【補正対象項目名】００３３
【補正方法】変更
【補正の内容】
【００３３】
（前記式中、Ｒ1 〜Ｒ5 ，ＸおよびＭ+ は先に定義したとおりである）
の色素である。
式（Ｉ），（II）および（III ）において、具体的なアルキル基は好ましくは１〜６個の炭素原子を含有し、メチル、エチル、ｎ−プロピル、イソプロピル、ｎ−ブチル、ｔ−ブチル、ｎ−ヘキシルおよびイソヘキシルが挙げられる。アリール基の例としては、フェニル、ナフチル、アントラセニルおよびスチリルが挙げられる。置換アリール基の例としては、例えば、トリル、ｍ−クロロフェニルおよびｐ−メタンスルホニルフェニル等が挙げられる。ヘテロアリール基の例としては、ピリジル、チエニル、フリルおよびピロリルが挙げられる。アシル基の例としては、エトキシカルボニル、アミド、ベンゾイル、カルボキシおよびアセチルが挙げられる。Ｍ+ は好ましくはＨ，Ｎａ，Ｋ、トリエチルアンモニウムもしくはピリジニウムである。


【手続補正６】
【補正対象書類名】明細書
【補正対象項目名】００５３
【補正方法】変更
【補正の内容】
【００５３】
これらの色素は、光吸収が望ましい、要素の任意の層中に位置してよいが、写真要素においては、処理中にこれらの色素が可溶化され、そして洗い出される層中にそれらを配置することが特に有利である。有用な色素量は１〜１０００mg／ｍ2 の範囲である。色素は、処理以前に、問題のスペクトル領域の吸収Ｄmax で少くとも０．１０濃度単位、好ましくは少くとも０．５０濃度単位の光学濃度を生じさせるのに十分な量、存在すべきである。この光学濃度は一般に、大部分の写真用途について５．０濃度単位未満である。


【手続補正７】
【補正対象書類名】明細書
【補正対象項目名】００９７
【補正方法】変更
【補正の内容】
【００９７】
（前記式中、Ｘは酸素またはイオウであり；Ｒ1 およびＲ2 は各々独立して非置換もしくは置換のアルキル基、非置換もしくは置換のアリール基または非置換もしくは置換のヘテロアリール基を表し；Ｒ3 およびＲ4 は各々独立して水素原子、非置換もしくは置換のアルキル基、非置換もしくは置換のアリール基、または非置換もしくは置換のヘテロアリール基を表し；Ｌ1 ，Ｌ2 およびＬ3 は各々独立して置換もしくは非置換のメチン基を表し；Ｍ+ はプロトンまたは無機もしくは有機のカチオンを表し；そしてｎは０，１，２または３である）
の凝集色素をその中に分散せしめた水性媒体を含んでなる分散体であって、前記分散体中の前記凝集色素が５５nm未満の吸収半帯域幅を有する分散体。


【手続補正８】
【補正対象書類名】明細書
【補正対象項目名】０１０９
【補正方法】変更
【補正の内容】
【０１０９】
（前記式中、Ｘは酸素またはイオウであり；Ｒ1 およびＲ2 は各々独立して非置換もしくは置換のアルキル基、非置換もしくは置換のアリール基または非置換もしくは置換のヘテロアリール基を表し；Ｒ3 およびＲ4 は各々独立して水素原子、非置換もしくは置換のアルキル基、非置換もしくは置換のアリール基、または非置換もしくは置換のヘテロアリール基を表し；Ｌ1 ，Ｌ2 およびＬ3 は各々独立して置換もしくは非置換のメチン基を表し；Ｒ5 は水素原子または置換もしくは非置換のアルキル、アリールもしくはアシル基を表し；Ｍ+ はプロトンまたは無機もしくは有機のカチオンを表し；そしてｎは０，１，２または３である）
の凝集色素をその中に分散せしめた水性媒体を含む水性分散体を含有し、そして前記分散体中の前記凝集色素が５５nm未満の吸収半帯域幅を有する感放射線要素。


【手続補正９】
【補正対象書類名】明細書
【補正対象項目名】０１１２
【補正方法】変更
【補正の内容】
【０１１２】
（前記式中、Ｘは酸素またはイオウであり；Ｒ1 〜Ｒ4 は各々独立して非置換もしくは置換のアルキル基、非置換もしくは置換のアリール基または非置換もしくは置換のヘテロアリール基を表し；Ｒ3 およびＲ4 は各々独立して水素原子、非置換もしくは置換のアルキル基、非置換もしくは置換のアリール基、または非置換もしくは置換のヘテロアリール基を表し；Ｌ1 ，Ｌ2 およびＬ3 は各々独立して置換もしくは非置換のメチン基を表し；Ｒ5 は水素原子または置換もしくは非置換のアルキル、アリールもしくはアシル基を表し；Ｍ+ はプロトンまたは無機もしくは有機のカチオンを表し；そしてｎは０，１，２または３である）
の凝集色素をその中に分散せしめた水性媒体を含む水性分散体を含有し、そして前記分散体中の前記凝集色素が５５nm未満の吸収半帯域幅を有する写真要素。